(57)【要約】【課題】作成した電気系統接続図に示されている電気系統接続に含まれる各種のデータから利用形態に応じた各種の目的データを生成できる電気系統接続のリスト生成装置を得ること。【解決手段】電気系統接続に含まれる電気的接続情報と物理的グルーピング情報と製造指示情報とのそれぞれを個別に示す作図要素で表現した電気系統接続図を作成する作成手段と、前記作成手段が作成した電気系統接続図から前記作図要素に基づき前記電気的接続情報と前記物理的グルーピング情報と前記製造指示情報とをそれぞれ抽出し、それぞれのリストデータを生成する生成手段と、前記作成手段が作成した電気系統接続図の図データと、前記生成手段が生成した電気的接続情報と物理的グルーピング情報と製造指示情報との各リストデータとを個別に読み出し可能に保存する記憶手段とを備えた。【選択図】        図１
2012113411.tif 000002
【特許請求の範囲】
【請求項１】
電気系統接続を有する製品の該電気系統接続に含まれる電気的接続情報と物理的グルーピング情報と製造指示情報とのそれぞれを個別に示す作図要素で表現した電気系統接続図を作成する接続図作成手段と、
前記接続図作成手段が作成した電気系統接続図から前記作図要素に基づき前記電気的接続情報と前記物理的グルーピング情報と前記製造指示情報とをそれぞれ抽出し、それぞれのリストデータを生成するリストデータ生成手段と、
前記接続図作成手段が作成した電気系統接続図の図データと、前記リストデータ生成手段が生成した電気的接続情報と物理的グルーピング情報と製造指示情報との各リストデータとを個別に読み出し可能に保存する記憶手段と
を備えたことを特徴とする電気系統接続のリスト生成装置。
【請求項２】
前記リストデータ生成手段は、
前記電気系統接続図で使用している作図要素の中から前記電気的接続情報に関わる作図要素を検索して特定し、該特定した作図要素により表現される電気的接続の形態を前記電気系統接続図から抽出し、該抽出した電気的接続の形態毎に前記電気的接続情報のリストデータを生成する
ことを特徴とする請求項１に記載の電気系統接続のリスト生成装置。
【請求項３】
前記リストデータ生成手段は、
前記電気系統接続図で使用している作図要素の中から前記物理的グルーピング情報に関わる作図要素を検索して特定し、該特定した作図要素が配置されている電気的接続の形態を前記電気系統接続図から抽出し、該抽出した電気的接続の形態毎に前記物理的グルーピング情報のリストデータを生成する
ことを特徴とする請求項１に記載の電気系統接続のリスト生成装置。
【請求項４】
前記リストデータ生成手段は、
前記電気系統接続図で使用している作図要素の中から前記製造指示情報に関わる作図要素を検索して特定し、該特定した作図要素が接続されている電気的接続の形態を前記電気系統接続図から抽出し、該抽出した電気的接続の形態毎に前記製造指示情報のリストデータを生成する
ことを特徴とする請求項１に記載の電気系統接続のリスト生成装置。
【請求項５】
さらに、前記電気系統接続を有する製品の設計や製造、試験、検査の少なくとも１つの部門での計算機で利用可能なリストデータを、前記記憶手段に保存される、電気的接続情報と物理的グルーピング情報と製造指示情報との各リストデータの全部または一部を用いて直接生成する変換手段
を備えていることを特徴とする請求項１に記載の電気系統接続のリスト生成装置。
【請求項６】
さらに、前記電気系統接続を有する製品の設計や製造、試験、検査の少なくとも１つの部門での計算機で利用可能なリストデータを、前記記憶手段に保存される、電気的接続情報と物理的グルーピング情報と製造指示情報との各リストデータの全部または一部を合成して生成する変換手段
を備えていることを特徴とする請求項１に記載の電気系統接続のリスト生成装置。
【発明の詳細な説明】
【技術分野】
【０００１】
本発明は、電気系統接続のリスト生成装置に関するものである。
【背景技術】
【０００２】
電気系統接続の設計支援ツールとしては、例えば特許文献１に示されるように、ＣＡＤが用いられる。近年、製品には多くの電気系統接続が含まれ、それらを設計するＣＡＤをはじめとしたツール群は急速に進歩をしている。そして、製品が複雑かつ高機能化するにつれて、その電気系統接続も複雑化してきており、電気系統接続を示す図面には非常に多くの情報が含まれる傾向にある。
【０００３】
斯かる状況において、設計製造品質を向上し、かつ設計製造期間を短縮して競合他社との競争力を強化することが求められている。そのため、製品を効率よく設計し製造できる設計製造システムの構築においては、その製品に含まれる電気系統接続の情報から、構造設計用、製造装置用、検査装置用、試験装置用など、利用形態に応じた適切な入力情報として利用可能なデータを生成できるリスト生成装置の開発が求められている。
【０００４】
ところで、従来、作成されている電気系統接続を示す図面には、３種類の形態があり、それぞれに一長一短がある。
【０００５】
第一の形態は、電気系統接続をブロックと結線とによって紙面に描画する図面形態である。この図面形態では、電気系統接続の全体像を比較的容易に捉えることができる。作図自由度が多いため、撚り線などの物理グルーピング情報や、継ぎ合わせなどの継ぎ足し情報などの製造指示情報を盛り込んだ複雑な電気系統が作図できる。しかし、この図面形態では、複雑化するにつれて全体あるいは特定の部位を集計しデータ化するような作業が困難になり、設計製造システムの入力データとすることが難しくなる。また、一部を限定的にデータ化する場合は、細かく読図をする作業が必要となり、そのデータ作成作業に要する時間が問題になる。さらに、読図に伴うミスにより図面とデータに相違が生じ、不具合が発生する恐れがある。
【０００６】
第二の形態は、電気系統接続を一対一のリストとして記入する図面形態である。これはリスト形式であるので、データとして処理することは容易である。しかし、この図面形態では、設計作業中に全体像が捉えられない。また、一対一だけでは表現できない接続や撚り線などの物理グルーピング情報や、継ぎ合わせなどの継ぎ足し情報などの製造指示情報が表現できないため、意図した通りの表現を行うことが難しい。
【０００７】
第三の形態は、第一、第二の形態を同時に行う図面形態である。この図面形態では、図面の作成に２重の作業を行うことになり、倍の作業時間が発生するだけでなく、二つの形態の情報で相違が発生する可能性や、変更時に二つの形態の情報を修正しなければいけないなどの問題がある。また、第一の形態で表現されている複雑な部分についてはデータとしての処理ができない状態であることには変わりがない。
【先行技術文献】
【特許文献】
【０００８】
【特許文献１】特許第４１０１７１３号公報
【発明の概要】
【発明が解決しようとする課題】
【０００９】
このように電気系統接続の表現には、紙面に描画する図柄の他に、電気的な接続情報、撚り線、シールド線などの物理的グルーピング情報、継ぎ合わせやシールド処理線指示などの製造指示情報が含まれるため、従来の図面形態では、それらを相互に関連付け、計算機で処理できるデータとして活用することが困難である。
【００１０】
そのため、従来の電気系統接続情報のデータ化技術では、例えば基板製造装置での実施例で示すと、基板と基板やコンポーネントとの間を線材で結合する電気的接続情報データの生成、撚り線やシールド線などの線材データの生成、結線部品の製造指示情報の生成などについては、利用形態に応じて必要な入力情報を計算機で処理可能なデータとして提供することができず、データとして利用するには人手による再構成作業が多く必要になっていた。
【００１１】
本発明は、上記に鑑みてなされたものであり、作成した電気系統接続図に示されている電気系統接続に含まれる各種のデータから利用形態に応じた各種の目的データを生成できる電気系統接続のリスト生成装置を得ることを目的とする。
【課題を解決するための手段】
【００１２】
上述した課題を解決し、目的を達成するために、本発明は、電気系統接続を有する製品の該電気系統接続に含まれる電気的接続情報と物理的グルーピング情報と製造指示情報とのそれぞれを個別に示す作図要素で表現した電気系統接続図を作成する接続図作成手段と、前記接続図作成手段が作成した電気系統接続図から前記作図要素に基づき前記電気的接続情報と前記物理的グルーピング情報と前記製造指示情報とをそれぞれ抽出し、それぞれのリストデータを生成するリストデータ生成手段と、前記接続図作成手段が作成した電気系統接続図の図データと、前記リストデータ生成手段が生成した電気的接続情報と物理的グルーピング情報と製造指示情報との各リストデータとを個別に読み出し可能に保存する記憶手段とを備えたことを特徴とする。
【発明の効果】
【００１３】
本発明によれば、作成した電気系統接続図中に示されている電気系統接続に含まれる、電気的接続情報と物理的グルーピング情報と製造指示情報とを紙面に描画する図柄上に網羅的に表現することが可能となり、かつその図柄である作図要素からデータとして読み取る必要がある電気的接続情報と物理的グルーピング情報と製造指示情報とを計算機で処理可能な形態で生成し管理することが可能となる。したがって、作成した電気系統接続図に示されている電気系統接続に含まれる各種のデータ（電気的接続情報、物理的グルーピング情報、製造指示情報）から利用形態に応じた各種の目的データを生成できる電気系統接続のリスト生成装置を実現できるという効果を奏する。
【図面の簡単な説明】
【００１４】
【図１】図１は、本発明の一実施の形態による電気系統接続のリスト生成装置の全体構成を示すブロック図である。
【図２】図２は、この実施の形態による電気系統接続図で使用する作図要素の一例を示す図である。
【図３】図３は、図２に示す作図要素を使用した電気系統接続図の一例を示す図である。
【図４】図４は、電気系統接続図に示されている電気系統接続をそれに含まれる各種のデータに分割して管理する一例を説明する図である。
【図５】図５は、作成した電気系統接続図から抽出した電気的接続情報のみによる電気的接続の形態の一例を示す図である。
【図６】図６は、作成した電気系統接続図から作図要素に基づき電気的接続情報のみによる電気的接続の形態を抽出しリストデータを生成する手順を説明するフローチャートである。
【図７】図７は、生成された電気的接続情報のリストデータを示す図である。
【図８】図８は、作成した電気系統接続図から抽出した複数の物理的グルーピング情報が個別に配置されている各電気的接続の形態部分の一例を示す図である。
【図９】図９は、作成した電気系統接続図から作図要素に基づき複数の物理的グルーピング情報が個別に配置されている各電気的接続の形態部分を抽出しリストデータを生成する手順を説明するフローチャートである。
【図１０】図１０は、生成された物理的グルーピング情報のリストデータを示す図である。
【図１１】図１１は、作成した電気系統接続図から抽出した複数の製造指示情報が個別に接続される各電気的接続の形態部分の一例を示す図である。
【図１２】図１２は、作成した電気系統接続図から作図要素に基づき複数の製造指示情報が個別に接続される各電気的接続の形態部分を抽出しリストデータを生成する手順を説明するフローチャートである。
【図１３】図１３は、生成された製造指示情報のリストデータを示す図である。
【図１４】図１４は、電気系統接続図から分割した電気系統接続に関する各種のデータから利用形態用目的データを生成する場合に利用する実態形状の例を示す図である。
【図１５】図１５は、電気系統接続図から分割した電気系統接続に関する各種のデータから利用形態に応じた各種の目的データを生成する手順を説明するフローチャートである。
【発明を実施するための形態】
【００１５】
以下に、本発明にかかる電気系統接続のリスト生成装置の実施の形態を図面に基づいて詳細に説明する。なお、この実施の形態によりこの発明が限定されるものではない。
【００１６】
図１は、本発明の一実施の形態による電気系統接続のリスト生成装置の全体構成を示すブロック図である。図１に示すように、この実施の形態によるリスト生成装置は、ＣＡＤソフト２が設定された計算機１と、外部記憶装置３と、変換装置５と、複数の外部記憶装置（図示例では４つの外部記憶装置６，７，８，９）とを備えている。ここで、ＣＡＤソフト２は、接続図作成手段とリストデータ生成手段とを構成し、外部記憶装置３は記憶手段を構成し、変換装置５は変換手段を構成している。
【００１７】
この実施の形態によるリスト生成装置は、電気系統接続を有する製品の電気系統接続図の作成と、電気系統接続を入力情報として実態形状化を行う電気系統接続構造物作成装置用データの生成と、電気系統接続構造物を製造する製造装置用データの生成と、電気系統接続の検査試験を行う検査試験装置用データの生成とが行える装置である。
【００１８】
図１において、設計者が、計算機１に設定されたＣＡＤソフト２を用いてこの実施の形態による電気系統接続図の作図を行うと、印刷出しすれば図柄と視認される作図要素で表現された電気系統接続図が外部記憶装置３に保存される。同時に、電気系統接続に関わるこの実施の形態による複数のデータ群４が、電気系統接続図と関連付けて外部記憶装置３に保存される。
【００１９】
そして、変換装置５にて、外部記憶装置３に保存された電気系統接続図およびそれに関わる複数のデータ群４から、１以上の個別データ（図１では、構造設計用データ、製造装置用データ、検査装置用データ、試験装置用データの４つの個別データを示す）が直接または合成により生成され、対応する外部記憶装置６，７，８，９に保存される。
【００２０】
ここで、外部記憶装置６に保存される構造設計用データを指すために、以降単に「構造設計用データ６」と称する。外部記憶装置７に保存される製造装置用データを指すために，以降単に「製造装置用データ７」と称する。外部記憶装置８に保存される検査装置用データを指すために、以降単に「検査装置用データ８」と称する。外部記憶装置９に保存される試験装置用データを指すために、以降単に「試験装置用データ９」と称する。
【００２１】
次に、図２は、この実施の形態による電気系統接続図で使用される作図要素の一例を示す図である。図２に示すように、この実施の形態による電気系統接続図で使用される作図要素としては、例えば、機器記号１０、コネクタ記号１１、端子盤記号１２、ワイヤ記号１３、撚り線記号１４、シールド線記号１５、シールド処理線記号１６、カシメ記号１７、ハンダ記号１８、ターミナルクリンプ記号１９などがある。コネクタ記号１１や端子盤記号１２には、インデックス番号が付記される。
【００２２】
この実施の形態による電気系統接続図では、図２に示す作図要素を用いて、電気系統接続に含まれる「電気的接続情報」「物理的グルーピング情報」「製造指示情報」が記載される。電気的接続情報は、電気的な接続関係を示すもので、それぞれの機器のコネクタ記号１１や端子盤記号１２とそれらの間を接続するワイヤ記号１３とで構成される。物理的グルーピング情報は、グルーピングする複数のワイヤ記号１３を特定するもので、その電気系統接続が使用される製品製造に必要な撚り線を示すための撚り線記号１４やシールド線を示すためのシールド線記号１５などで構成される。製造指示情報は、ワイヤ記号１３を用いた線材指示、シールド処理線記号１６を用いたシールド処理指示、カシメ記号１７を用いたカシメ指示、ハンダ記号１８を用いたハンダ指示、ターミナルクリンプ記号１９を用いたターミナルクリンプ指示などで構成される。
【００２３】
次に、図３は、図２に示す作図要素を使用した電気系統接続図の一例を示す図である。図３において、Ａ機器のＡ１コネクタ２０に注目すると、（イ）Ａ機器のＡ１コネクタ２０から、Ｂ機器のＢ１コネクタ２５とＣ機器のＣ１コネクタ２７とＡ機器のＡ２コネクタ３２とへの３系統の電気的接続があること、（ロ）Ａ機器のＡ１コネクタ２０からＢ機器のＢ１コネクタ２５への接続にＡワイヤ（１）２３が使用されていること、（ハ）Ａ機器のＡ１コネクタ２０からＣ機器のＣ１コネクタ２７への接続にＢワイヤ（２）２２が使用されていること、（ニ）Ａ機器のＡ１コネクタ２０からＡ機器のＡ２コネクタ３２への接続にＣワイヤ（４）３１が使用されていること、が読み取れる。
【００２４】
また、（ホ）Ａ機器のＡ１コネクタ２０に接続されている、Ａワイヤ（１）２３とＢワイヤ（２）２２とＣワイヤ（４）３１とには、撚り線記号２１が配置され撚り線になっていること、同時に、（ヘ）Ａ機器のＡ１コネクタ２０からＢ機器のＢ１コネクタ２５への接続に使用されているＡワイヤ（１）２３と、Ｂ機器のＢ１コネクタ２５からＣ機器のＣ１コネクタ２７への接続に使用されているＢワイヤ（２）とにも、撚り線記号２４が配置され撚り線になっていること、が読み取れる。
【００２５】
同様に、Ｄ機器のＤ１コネクタ記号３６に注目すると、（ト）Ｄ機器のＤ１コネクタ３６から、Ａ機器のＡ２コネクタ３２とＣ機器のＣ１コネクタ２７とＥ機器のＥ１コネクタ３０と端子盤のＡ端子３８とへ電気的接続があること、（チ）Ａ機器のＡ２コネクタ３２からＤ機器のＤ１コネクタ３６への接続に使用されているＡワイヤ（５）３３と、Ｃ機器のＣ１コネクタ２７からＤ機器のＤ１コネクタ３６への接続に使用されているＣワイヤ（６）２８とには、Ｄ機器のＤ１コネクタ３６への接続直前にハンダ記号３５が配置され、ハンダによって束ねられた状態で、Ｍワイヤ（７）３４に継ぎ替えてＤ機器のＤ１コネクタ３６に接続されていること、が読み取れる。
【００２６】
また、（リ）Ｄ機器のＤ１コネクタ３６からＥ機器のＥ１コネクタ３０への接続には、Ｄワイヤ（９）４１とＥワイヤ（１０）４３とが使用され、Ｄワイヤ（９）４１とＥワイヤ（１９）４３とにはＤ機器のＤ１コネクタ３６側にシールド線記号４２が配置され、Ｄワイヤ（９）４１とＥワイヤ（１０）４３とを芯線にもつシールド線になっていること、が読み取れる。
【００２７】
また、（ヌ）Ｄ機器のＤ１コネクタ３６側では、シールド線記号４２にシールド処理線記号４４が配置され、シールド処理線としてＡワイヤ（１１）４５が使用され、そのシールド処理されたＡワイヤ（１１）４５には端子盤のＢ端子３９の直前でターミナルクリンプ記号４７が配置されターミナルクリンプで接続されていること、（ル）Ｅ機器のＥ１コネクタ３０側では、シールド線記号４６が配置され、シールド処理線記号２９にシールド処理線としてＡワイヤ（８）４０が使用され、そのシールド処理線のＡワイヤ（８）４０はＥ機器のＥ１コネクタ３０に接続されていること、（ヲ）Ｄ機器のＤ１コネクタ３６から端子盤のＡ端子３８への接続にはＴワイヤ（１２）３７が使用されていること、が読み取れる。
【００２８】
以上のように、ＣＡＤソフト２にて作図された電気系統接続図には、電気系統接続の情報として、電気的接続情報の他に、物理的グルーピング情報や製造指示情報が複雑に混在して表現されている。つまり、この実施の形態による電気系統接続図には、電気系統接続に含まれる、電気的接続情報と物理的グルーピング情報と製造指示情報とが、紙面に描画する図柄として網羅的に表現されている。このような形態の電気系統接続図のままでは、電気系統接続に含まれる「電気的接続情報」「物理的グルーピング情報」「製造指示情報」を計算機で処理できないが、上記したように、特定の作図要素（図柄）に着目すれば、３つの情報を区別して読み取ることができる。
【００２９】
図４は、電気系統接続を各種のデータに分割して管理する一例を説明する図である。ここで言う「各種のデータ」とは、図１に示したデータ群４を指しており、具体的には、電気系統接続に含まれる「電気的接続情報」「物理的グルーピング情報」「製造指示情報」の各リストデータである。
【００３０】
すなわち、この実施の形態によるＣＡＤソフト２は、図３に示すような電気系統接続図を作図すると、作図要素を頼りにして、電気系統接続図から「電気的接続情報」「物理的グルーピング情報」「製造指示情報」を、計算機で処理可能なリストデータの生成が可能な図形態として抜き出すことを行い、例えば図４に示すように、電気系統接続図５２と電気的接続情報５３と物理的グルーピング情報５４と製造指示情報５５とに分割して外部記憶装置３に保存し管理するようにしている。
【００３１】
このように、この実施の形態では、作図要素で表現された電気系統接続図５２の図データを、電気的接続情報５３と物理的グルーピング情報５４と製造指示情報５５との３つのデータ（計算機上で処理可能なリストデータ）として管理することが実現できる。
【００３２】
また、図４に示すように、従来の電気系統接続図５２の図データだけでなく、電気的接続情報５３と物理的グルーピング情報５４と製造指示情報５５との３つのリストデータを生成し、電気系統接続図５２と電気的接続情報５３と物理的グルーピング情報５４と製造指示情報５５とに分けて管理できるので、電気系統接続に含まれる、電気的接続情報、物理的グルーピング情報、製造指示情報を計算機上に網羅的に表現することが実現できる。
【００３３】
さて、図５〜図１３を参照して、この実施の形態による電気系統接続図５２から作図要素に基づき電気的接続情報５３と物理的グルーピング情報５４と製造指示情報５５とを抽出分割し、それぞれのリストデータを生成する方法について説明する。
【００３４】
＜電気的接続情報５３の抽出分割とリストデータの生成＞
図５は、作成した電気系統接続図から抽出した電気的接続情報のみによる電気的接続の形態の一例を示す図である。図６は、作成した電気系統接続図から作図要素に基づき電気的接続情報のみによる複数の電気的接続の形態を抽出しリストデータを生成する手順を説明するフローチャートである。図７は、生成された電気的接続情報のリストデータを示す図である。なお、図６では、処理手順を示すステップは、「ＳＴ」と略記してある。
【００３５】
図５では、図３に示した電気系統接続図から、機器のコネクタ記号間や、機器のコネクタ記号と端子盤記号の端子との間をワイヤ記号により接続した電気的接続の形態が抜き出して示されている。
【００３６】
図６では、ＳＴ５６〜ＳＴ５８において、作成された電気系統接続図から物理的グルーピング情報および製造指示情報に関わる作図要素を削除し、電気的接続情報のみで表現した複数の電気的接続の形態を抽出分割する処理が行われ、次のＳＴ５９，ＳＴ６０において、その抽出分割した電気的接続情報のみで表現した複数の電気的接続の形態から電気的接続情報のリストデータを生成する処理が行われる。
【００３７】
すなわち、ＳＴ５６〜ＳＴ５８においては、まず、撚り線情報、シールド線情報を示す作図要素を削除する（ＳＴ５６）。具体的には、図３において、撚り線記号２１と、撚り線記号２４と、シールド線記号４２、シールド線記号４６と、シールド処理線記号２９と、シールド処理線記号４４と、シールド処理されたワイヤ記号Ａワイヤ（８）４０と、シールド処理されたワイヤ記号Ａワイヤ（１１）４５とを除去する。
【００３８】
その結果、例えば、撚り線記号２１の部分であれば、図５に示すように、ワイヤ記号Ａワイヤ（１）２３と、ワイヤ記号Ｂワイヤ（２）２２と、ワイヤ記号Ｃワイヤ（４）３１とだけが残る。また、例えば、シールド線記号４２，４６の部分であれば、図５に示すように、ワイヤ記号Ｄワイヤ（９）４１とワイヤ記号Ｅワイヤ（１０）４３とだけが残る。
【００３９】
続いて、束ね継ぎ合せ線の除去を行う（ＳＴ５７）。具体的には、図３において、ハンダ記号３５とこのハンダ記号３５に接続されているワイヤ記号Ｍワイヤ（７）３４との除去を行う。その結果、図５に示すように、ワイヤ記号Ａワイヤ（５）３３とワイヤ記号Ｃワイヤ（６）２８とがコネクタ記号Ｄ１コネクタ３６に直接接続される形態となる。
【００４０】
そして、ワイヤ情報の除去、つまり、ワイヤ記号に付与された線材指示情報の除去を行う（ＳＴ５８）、具体的には、ワイヤ記号から線材指示情報を示す属性、図３で言えば、例えば、ワイヤ記号Ａワイヤ（１）２３などの文字列から「Ａワイヤ」という文字列を除去し、ワイヤ記号Ａワイヤ（１）２３に装置が一意に付与したインデックス番号「（１）」だけを残す処理が行われる。
【００４１】
図５では、「Ａワイヤ」という文字列を並記してあるが、このような処理により、図３に示す全ての作図要素の中から電気的接続情報に関わる複数の作図要素が抽出分割され、図５に示す電気的接続情報のみで表現される複数の電気的接続の形態が得られる。この電気的接続の形態では、コネクタ記号と、端子盤記号と、インデックス番号で特定されるワイヤ記号とにより、全ての接続において、どのコネクタ記号または端子盤記号からどのコネクタ記号または端子盤記号へ接続されているかの電気的接続情報だけが直接的に表現されている。
【００４２】
次に、ＳＴ５９，ＳＴ６０では、この電気的接続情報のみによる複数の電気的接続の形態から計算機で処理可能な電気的接続情報のリストデータを生成する。まず、インデックス番号で特定されるワイヤ記号の両端に接続されているコネクタ記号または端子盤記号の情報取得を行う。ここでは、説明を容易にするため、ワイヤ記号の両端には、コネクタ記号が接続されているとする（ＳＴ５９）。例えば図５に示す電気的接続の形態において、ワイヤ記号Ａワイヤ（１）２３のインデックス番号が「（１）」であるので、両端に接続されているのは、コネクタ記号Ａ１コネクタ２０とコネクタ記号Ｂ１コネクタ２５であると判明し、コネクタ記号Ａ１コネクタ２０およびコネクタ記号Ｂ１コネクタ２５の情報を取得する。
【００４３】
そして、このように取得したコネクタ記号の情報と、ワイヤ記号のインデックス番号とにより、電気的接続の形態毎に電気的接続情報のリストデータを生成する（ＳＴ６０）。図７を参照して説明する。図７に示すように、電気的接続情報のリストデータは、３列で構成される。１列目にワイヤ記号のインデックス番号６１が記入され、２列目に片側の接続コネクタ記号６２の情報が記入され、３列目に反対側の接続コネクタ記号６３の情報が記入される。接続対象が端子盤記号の場合は、接続コネクタ記号の情報が端子盤記号の情報に置き換わる。
【００４４】
図７において、例えば、リストデータの１行目では、１列目にワイヤ記号Ａワイヤ（１）２３のインデックス番号６１として「１」が記入され、２列目に片側の接続コネクタ記号６２の情報としてＡ１コネクタ２０の情報が「Ａ１−１」として記入され、３列目に反対側の接続コネクタ記号６３の情報としてＢ１コネクタ２５の情報が「Ｂ１−１」として記入される。この行自体がワイヤ記号Ａワイヤ（１）２３を示すリストデータである。以下同様に、ワイヤ記号毎に、各行がリストデータに追加されていく。このようにして、電気的接続情報のみによる電気的接続の形態毎に計算機で処理可能な電気的接続情報のリストデータが生成される。
【００４５】
＜物理的グルーピング情報５４の抽出分割とリストデータの生成＞
図８は、作成された電気系統接続図から抽出した複数の物理的グルーピング情報が個別に配置されている各電気的接続の形態部分の一例を示す図である。図９は、作成された電気系統接続図から作図要素に基づき複数の物理的グルーピング情報が個別に配置されている各電気的接続の形態部分を抽出しリストデータを生成する手順を説明するフローチャートである。図１０は、生成されたリストデータを示す図である。
【００４６】
図３では、物理的グルーピング情報に関わる作図要素として、撚り線記号２１，２４とシールド記号４２，４６とが示されているが、図８では、説明を容易にするために、そのうち撚り線記号２１，２４が配置されている２つの電気的接続の形態部分を抜き出して示してある。
【００４７】
図９において、ＳＴ６４では、作成された電気系統接続図から物理的グルーピング情報に関わる作図要素である撚り線記号とシールド線記号とを抽出し、それらに一意の物理グルーピング番号を付与する。具体的には、例えば図８に示すように、撚り線記号２１には物理グルーピング番号として「ＴＷ１」を付与し、撚り線記号２４には物理グルーピング番号として「ＴＷ２」を付与する。
【００４８】
次に、ＳＴ６５では、それらの撚り線記号またはシールド線記号に含まれているワイヤ記号の情報を取得する。例えば図８に示すように、撚り線記号２１に注目すると、撚り線記号２１すなわち物理グルーピング番号「ＴＷ１」に含まれているのは、ワイヤ記号Ａワイヤ（１）２３とワイヤ記号Ｂワイヤ（２）２２とワイヤ記号Ｃワイヤ（４）３１となるので、それらの情報を取得する。これが「（ａ）１番目の物理グルーピング」となる。
【００４９】
また、撚り線記号２４に注目すると、撚り線記号２４すなわち物理グルーピング番号「ＴＷ２」に含まれているのは、ワイヤ記号Ａワイヤ（１）２３とワイヤ記号Ｂワイヤ（３）２６となるので、それらの情報を取得する。これが「（ｂ）２番目の物理グルーピング」となる。
【００５０】
このような処理により、図３に示す全ての作図要素の中から複数の物理的グルーピング情報に関わる複数の作図要素が抽出され、複数の作図要素がそれぞれによる個別の物理グルーピングに分割される。このように、物理的グルーピング情報は、１つのワイヤ記号が複数の物理的グルーピング情報や製造指示情報に含まれていて複雑な状態になっていても、１つの物理的グルーピング情報が配置された１つの物理グルーピングでの電気的接続の形態部分では、それぞれの独立した物理的グルーピング情報として表現できるため、表現方法を簡易にできる特徴がある。
【００５１】
次に、ＳＴ６６では、物理的グルーピング情報が配置された物理グルーピングから計算機で処理可能な物理的グルーピング情報のリストデータを生成する。図８に示す例で言えば、（ａ）１番目の物理グルーピングとして撚り線記号２１すなわち物理グルーピング番号「ＴＷ１」に含まれるのが、ワイヤ記号Ａワイヤ（１）２３とワイヤ記号Ｂワイヤ（２）２２とワイヤ記号Ｃワイヤ（４）３１とであることをリストデータとして生成する。また、（ｂ）２番目の物理グルーピングとして撚り線記号２４すなわち物理グルーピング番号「ＴＷ２」に含まれるのが、ワイヤ記号Ａワイヤ（１）２３およびワイヤ記号Ｂワイヤ（３）２６であることをリストデータとして生成する。このように、抽出した複数の物理的グルーピング情報が配置された各物理グルーピングから計算機で処理可能な各物理的グルーピング情報のリストデータを生成する。図１０を参照して説明する。
【００５２】
図１０に示すように、物理的グルーピング情報から生成されるリストデータは、２列で構成される。１列目は、ワイヤ記号のインデックス番号６１が記入され、２列目は、物理グルーピング番号７１が記入される。インデックス番号６１は、前記したように、ワイヤ記号に装置が一意に付与した識別番号である。物理グルーピング番号７１は、物理グルーピングとして複数のワイヤ記号を含んでいる撚り線記号またはシールド線記号に装置が一意に付与した識別番号である。
【００５３】
図１０では、図８に示した、（ａ）１番目の物理グルーピングと、（ｂ）２番目の物理グルーピングとにおいて生成したリストデータが示されている。（ａ）１番目の物理グルーピングでは、物理グルーピング番号「ＴＷ１」の撚り線記号２１に、インデックス番号「１」のワイヤ記号２３とインデックス番号「２」のワイヤ記号２２とインデックス番号「４」のワイヤ記号３１とが含まれる。また（ｂ）２番目の物理グルーピングでは、物理グルーピング番号「ＴＷ２」の撚り線記号２４に、インデックス番号「１」のワイヤ記号２３とインデックス番号「３」のワイヤ記号２６とが含まれる。すなわち、図１０では、１行目〜３行目に、（ａ）１番目の物理グルーピングにおいて生成したリストデータが示され、４行目〜５行目に、（ｂ）２番目の物理グルーピングにおいて生成したリストデータが示されている。以降、同様の方法で、物理グルーピングの態様に応じて各行に、ワイヤ記号のインデックス番号６１と物理グルーピング番号７１とによるリストデータが記入される。このようにして、物理グルーピング毎に計算機で処理可能な物理的グルーピング情報のリストデータが生成される。
【００５４】
＜製造指示情報５５の抽出分割とリストデータの生成＞
図１１は、作成した電気系統接続図から抽出した複数の製造指示情報が個別に接続される各電気的接続の形態部分の一例を示す図である。図１２は、作成した電気系統接続図から作図要素に基づき複数の製造指示情報が個別に接続される各電気的接続の形態部分を抽出しリストデータを生成する手順を説明するフローチャートである。図１３は、生成された製造指示情報のリストデータを示す図である。
【００５５】
図３では、製造指示情報に関わる作図要素として、ハンダ記号３５と、シールド線処理記号２９，４４と、ターミナルクリンプ記号４７と、カシメ記号４８とが示されている。図１１では、説明を容易にするために、そのうちの４つが接続されている電気的接続の形態部分を抜き出して示してある。
【００５６】
すなわち、図１１では、（ａ）１番目の製造指示情報として、ハンダ記号３５が接続されている電気的接続の形態部分が示され、（ｂ）２番目の製造指示情報として、カシメ記号４８が接続されている電気的接続の形態部分が示され、（ｃ）３番目の製造指示情報として、ターミナルクリンプ記号４７が接続されている電気的接続の形態部分が示され、（ｄ）４番目の製造指示情報として、シールド線処理記号４４が接続されている電気的接続の形態部分が示されている。
【００５７】
図１２において、ＳＴ６８では、作成された電気系統接続図から製造指示情報に関わる作図要素であるシールド処理線記号、カシメ記号、ハンダ記号、ターミナルクリンプ記号を抽出する。ＳＴ６９では、抽出したシールド処理線記号、カシメ記号、ハンダ記号、ターミナルクリンプ記号が接続されているワイヤ記号とコネクタ記号の各情報を取得する。
【００５８】
図１１は、図３に示す電気系統接続図において、ハンダ記号３５とカシメ記号４８とシールド処理線記号４４とターミナルクリンプ記号４７とに着目して示したものである。すなわち、ハンダ記号３５に着目すると、ハンダ記号３５に接続されているのは、ワイヤ記号Ａワイヤ（５）３３とワイヤ記号Ｃワイヤ（６）２８とであり、それらがハンダ記号３５によりワイヤ記号Ｍワイヤ（７）３４に継ぎ換えられてＤ１コネクタ３６に接続されている。これが「（ａ）１番目の製造指示情報」となる。
【００５９】
また、カシメ記号４８に着目すると、カシメ記号４８に接続されているのは、ワイヤ記号Ｂワイヤ（１３）４９とワイヤ記号Ｂワイヤ（１４）５０とであり、それらがカシメ記号４８によりＦ１コネクタ５１に接続されている。これが「（ｂ）２番目の製造指示情報」となる。
【００６０】
また、ターミナルクリンプ記号４７に着目すると、ターミナルクリンプ記号４７に接続されているのは、ワイヤ記号Ａワイヤ（１１）４５とワイヤ記号Ｂワイヤ（１４）５０とであり、ターミナルクリンプ記号４７により端子盤のＢ端子３９に接続されている。これが「（ｃ）３番目の製造指示情報」となる。
【００６１】
また、シールド処理線記号４４に着目すると、シールド線記号４２すなわち物理グルーピング番号「ＳＨ１」のシールド処理を示すシールド処理線記号４４から端子盤のＢ端子３９に接続されているのは、ワイヤ記号Ａワイヤ（１１）４５である。これが「（ｄ）４番目の製造指示情報」となる。
【００６２】
これらの処理により、図３に示す全ての作図要素の中から複数の製造指示情報に関わる複数の作図要素が抽出され、複数の作図要素がそれぞれ個別に接続される複数の電気的接続の形態部分に分割される。このように、製造指示情報は、１つのワイヤ記号が複数の物理的グルーピング情報や製造指示情報に含まれていて複雑な状態になっていても、１つの製造指示情報が接続された電気的接続の形態部分では、それぞれ独立した製造指示情報として表現できるため、表現方法を簡易にできる特徴がある。
【００６３】
次に、ＳＴ７０では、製造指示情報が接続されている電気的接続の形態部分から計算機で処理可能な製造指示情報のリストデータを生成する。図１１に示す例で言えば、（ａ）１番目の製造指示情報としては、ハンダ記号３５によりハンダ接続されるのが、ワイヤ記号Ａワイヤ（５）３３とワイヤ記号Ｃワイヤ（６）２８とであること、この２つのワイヤがワイヤ記号Ｍワイヤ（７）３４に束ね継ぎ合わされ、コネクタ記号Ｄ１コネクタ３６に接続されていること、をリストデータとして生成する。
【００６４】
また（ｂ）２番目の製造指示情報としては、カシメ記号４８によりカシメ接続されるのがワイヤ記号Ｂワイヤ（１３）４９とワイヤ記号Ｂワイヤ（１４）５０とであること、この２つのワイヤがコネクタ記号Ｆ１コネクタ５１にカシメ接続されていること、をリストデータとして生成する。
【００６５】
また、（ｃ）３番目の製造指示情報としては、ターミナルクリンプ記号４７によりターミナルクリンプに接続されるのが、ワイヤ記号Ａワイヤ（１１）４５とワイヤ記号Ｂワイヤ（１４）５０とであること、この２つのワイヤが端子盤のＢ端子３９にターミナルクリンプを用いて接続されていること、をリストデータとして生成する。
【００６６】
また、（ｄ）４番目の製造指示情報としては、シールド処理線記号４４はシールド線記号４２すなわち物理グルーピング番号「ＳＨ１」のシールド処理を示していて、シールド処理線記号４４からワイヤ記号Ａワイヤ（１１）４５により端子盤のＢ端子３９に接続されていること、をリストデータとして生成する。
【００６７】
図１３に示すように、生成される製造指示情報のリストデータは、３列で構成される。１列目は、ワイヤ記号のインデックス番号６１または物理グルーピング番号７１が記入される。２列目は、製造指示で必要なワイヤ記号のインデックス番号７２または製造指示情報（ワイヤに対する製造指示）７４，７６が記入される。３列目は、その製造指示が行われる接続先のコネクタ記号７３，７５または接続先の端子盤記号７７が記入される。
【００６８】
図１１に示す例で言えば、（ａ）１番目の製造指示情報であるハンダ指示の場合は、ワイヤ記号Ａワイヤ（５）３３とワイヤ記号Ｃワイヤ（６）２８との２本がハンダ指示されているので、リストデータの行数は２行になっている。リストデータ１列目の２行に、ワイヤ記号Ａワイヤ（５）３３のインデックス番号である「５」と、ワイヤ記号Ｃワイヤ（６）２８のインデックス番号である「６」とが記入される。リストデータ２列目の２行に、ハンダ指示で必要となるワイヤ記号Ｍワイヤ（７）３４のインデックス番号である「７」が記入される。リストデータ３列目の２行に、ワイヤ記号Ｍワイヤ（７）３４の接続コネクタ記号の情報である「Ｄ１−１」が記入される。
【００６９】
また、（ｂ）２番目の製造指示情報であるカシメ指示の場合は、ワイヤ記号Ｂワイヤ（１３）４９とワイヤ記号Ｂワイヤ（１４）５０との２本がカシメ指示されているので、リストデータの行数は２行になっている。リストデータ１列目の２行に、Ｂワイヤ記号ワイヤ（１３）４９のインデックス番号である「１３」と、ワイヤ記号Ｂワイヤ（１４）５０のインデックス番号である「１４」とが記入される。リストデータ２列目の２行に、製造指示である「カシメ」がそれぞれ記入される。リストデータ３列目の２行に、カシメ先コネクタ記号の情報である「Ｆ１−１」がそれぞれ記入される。
【００７０】
また、（ｃ）３番目の製造指示情報であるターミナルクリンプ指示の場合は、ワイヤ記号Ａワイヤ（１１）４５とワイヤ記号Ｂワイヤ（１４）５０との２本がターミナルクリンプ指示されているので、リストデータの行数は２行になっている。リストデータ１列目の２行に、ワイヤ記号Ａワイヤ（１１）４５のインデックス番号である「１１」と、ワイヤ記号Ｂワイヤ（１４）５０のインデックス番号である「１４」とが記入される。リストデータ２列目の２行に、製造指示である「ターミナルクリンプ」がそれぞれ記入される。リストデータ３列目の２行に、ターミナルクリンプが接続される端子盤記号の情報である「Ｂ端子」がそれぞれ記入される。
【００７１】
また、（ｄ）４番目の製造指示情報であるシールド処理線指示の場合は、シールド線記号４２すなわち物理グルーピング番号「ＳＨ１」のシールド処理線記号４４から製造指示で必要となるワイヤ記号Ａワイヤ（１１）４５が出ているので、リストデータの行数は１行である。リストデータ１列目は、物理グルーピング番号である「ＳＨ１」が記入され、リストデータ２列目は、製造指示で必要となるワイヤ記号Ａワイヤ（１１）４５のインデックス番号である「１１」が記入され、リストデータ３列目は、ワイヤ記号Ａワイヤ（１１）４５の接続端子盤記号の情報である「Ｂ端子」が記入される。このようにして、製造指示情報から計算機で処理可能なリストデータが生成される。
【００７２】
次に、図１４と図１５を参照して、図１に示した変換装置５が、図４に示した、電気系統接続図５２から分割された電気的接続情報５３と物理的グルーピング情報５４と製造指示情報５５とを入力データとして、目的別データである、構造設計用データ６、製造装置用データ７、検査装置用データ８、試験装置用データ９などを直接または合成して生成する方法について説明する。
【００７３】
図１４は、電気系統接続図から分割した電気系統接続に関する各種のデータから利用形態用目的データを生成する場合に利用する実態形状の例を示す図である。図４では、利用形態用目的データとして、構造設計用データ６を取り上げ、その構造設計用データ６を電気的接続情報５３と物理的グルーピング情報５４と製造指示情報５５とを関連付けて合成して生成する場合について説明する。
【００７４】
図３に示す電気系統接続図において、例えば、Ａ機器のコネクタ記号Ａ１コネクタ２０に着目すると、コネクタ記号Ａ１コネクタ２０には、Ｂ機器のコネクタ記号Ｂ１コネクタ２５から来るワイヤ記号Ａワイヤ（１）２３と、Ｃ機器のコネクタ記号Ｃ１コネクタ２７から来るワイヤ記号Ｂワイヤ（２)２２と、Ａ機器のコネクタ記号Ａ２コネクタ３２から来るワイヤ記号Ｃワイヤ（４）３１とが接続される。かつワイヤ記号Ａワイヤ（１）２３とワイヤ記号Ｂワイヤ（２）２２とワイヤ記号Ｃワイヤ（４）３１とは、撚り線記号２１により撚り線になっている。これを実態形状で描くと図１４に示す通りになる。
【００７５】
以上のことから、コネクタ記号Ａ１コネクタ２０との接続関係を示す実態形状を描くために必要なデータは、図４に示す電気的接続情報５３と物理的グルーピング情報５４とであることがわかる。すなわち、変換装置５は、コネクタ記号Ａ１コネクタ２０との接続関係を実態形状で描くための構造設計用データ６を、電気的接続情報５３と物理的グルーピング情報５４との２つのデータをコネクタ記号Ａ１コネクタ２０に着目して合成することで生成する。
【００７６】
同様に、図３に示す電気系統接続図において、Ｄ機器のコネクタ記号Ｄ１コネクタ３６に着目した場合、コネクタ記号Ｄ１コネクタ３６には、Ａ機器のコネクタ記号Ａ２コネクタ３２から来るワイヤ記号Ａワイヤ（５）３３と、Ｃ機器のＣ１コネクタ２７から来るワイヤ記号Ｃワイヤ（６）２８とが、ハンダ記号３５によりワイヤ記号Ｍワイヤ（７）３４に束ね継ぎ合わせされている。これを実態形状で描くと図１４に示す通りになる。
【００７７】
以上のことから、コネクタ記号Ｄ１コネクタ３６との接続関係を示す実態形状を描くために必要なデータは、図４に示す電気的接続情報５３と製造指示情報５５とであることがわかる。すなわち、変換装置５は、コネクタ記号Ｄ１コネクタ３６との接続関係を実態形状で描くための構造設計用データ６を、電気的接続情報５３と製造指示情報５５との２つのデータをコネクタ記号Ｄ１コネクタ３６に着目して合成することで生成する。
【００７８】
このように、この実施の形態によれば、電気的接続情報５３と物理的グルーピング情報５４と製造指示情報５５の３つのデータをコネクタ記号に着目して合成することで、全ての実態形状を描くのに必要な構造設計用データ６を実態形状に応じて生成することが可能になる。
【００７９】
次に、図１５は、電気系統接続図から分割した電気系統接続に関する各種のデータから利用形態に応じた各種の目的データを生成する手順を説明するフローチャートである。図１５では、コネクタ記号に着目して、電気的接続情報５３と物理的グルーピング情報５４と製造指示情報５５との３つのデータを合成し構造設計用ツールの入力データを生成する手順が示されている。
【００８０】
図１５において、ＳＴ７８では、フィルタ処理として電気的接続情報から着目コネクタ記号でフィルタリングを行う。次に、ＳＴ７９では、接続ワイヤ把握処理として着目コネクタ記号に接続されるワイヤ記号のインデックス番号を把握する。次に、ＳＴ８０では、追加情報判定処理として、ワイヤ記号のインデックス番号が物理的グルーピング情報または製造指示情報に含まれるか否かの判定を行う。
【００８１】
その結果、ワイヤ記号のインデックス番号が物理的グルーピング情報または製造指示情報にとも含まれない場合（ＳＴ８０：Ｎｏ）は、ＳＴ８１にて、ワイヤ実態形状把握処理として、ワイヤ記号から単一線としてワイヤの実態形状を把握し、ＳＴ８５に進む。
【００８２】
一方、ＳＴ８０において、ワイヤ記号のインデックス番号が物理的グルーピング情報または製造指示情報にとも含まれる場合（ＳＴ８０：Ｙｅｓ）は、ＳＴ８２にて、詳細判定処理として、ＳＴ７９において把握された情報が、物理的グルーピング情報と製造指示情報の何れであるかの判定を行う。
【００８３】
その結果、ＳＴ８２での判定結果が物理的グルーピング情報である場合は、ＳＴ８３にて、グループ形状把握処理として、物理グルーピング番号を取得し、撚り線として実態形状を把握することを行い、ＳＴ８５に進む。また、ＳＴ８２での判定結果が製造指示情報である場合は、ＳＴ８４にて、製造指示形状把握処理として、製造指示情報を取得し実態形状を把握することを行い、ＳＴ８５に進む。
【００８４】
ＳＴ８５では、目的データ生成処理として、着目コネクタからの電気的接続情報とワイヤ形状とを合成し目的データを生成する。
【００８５】
製造装置用データ７、検査装置用データ８、試験装置用データ９についても同様に、コネクタ記号に着目したデータを合成したり、ワイヤ記号に着目したデータを合成したりすることで、それぞれの装置が必要とするデータを生成することが可能である。
【００８６】
以上のように、この実施の形態によれば、作成した電気系統接続図中に示されている電気系統接続に含まれる、電気的接続情報と物理的グルーピング情報と製造指示情報とを紙面に描画する図柄上に網羅的に表現することが可能となり、かつその図柄である作図要素からデータとして読み取る必要がある電気的接続情報と物理的グルーピング情報と製造指示情報とを計算機で処理可能な形態で生成し管理することが可能となる。
【００８７】
また、電気系統接続の情報は、電気系統接続図とそれに関わる数種類のデータ群（電気的接続情報、物理的グルーピング情報、製造指示情報）とで構成され、それぞれが関連性を持つことができる。また、数種類のデータ群とすることで、各データ群の構成が単純となり、容易に検索・合成・利用ができる形態となる。また、数種類のデータ群とすることで、その中の目的データを作図要素に基づき自動的に生成することが可能になる。
【００８８】
これらのことにより、従来と同じ作業時間で、想定される全ての利用形態に対応する目的データを生成することが可能となる。したがって、設計製造に関わるシステム構築が可能となり、設計から製造までの期間を短縮することや、製品のコストダウンを実現することができる。
【００８９】
なお、この実施の形態では、電気的接続情報と物理的グルーピング情報と製造指示情報とをそれぞれリストデータとして生成しそれぞれを外部記憶装置に保存して管理すると説明したが、この３つの情報を予めデータベースで管理しても同様の効果が得られることは明らかである。
【産業上の利用可能性】
【００９０】
以上のように、本発明にかかる電気系統接続のリスト生成装置は、作成した電気系統接続図に示されている電気系統接続に含まれる各種のデータから利用形態に応じた各種の目的データを生成できる電気系統接続のリスト生成装置として有用である。
【符号の説明】
【００９１】
１  計算機
２  ＣＡＤソフト
３  外部記憶装置
４  データ群
５  変換装置
６  構造設計用データを保存する外部記憶装置
７  製造装置用データを保存する外部記憶装置
８  検査装置用データを保存する外部記憶装置
９  試験装置用データを保存する外部記憶装置
１０  機器記号（作図要素）
１１  コネクタ記号（作図要素）
１２  端子盤記号（作図要素）
１３  ワイヤ記号（作図要素）
１４  撚り線記号（作図要素）
１５  シールド線記号（作図要素）
１６  シールド処理線記号（作図要素）
１７  カシメ記号（作図要素）
１８  ハンダ記号
１９  ターミナルクリンプ記号
５２  電気系統接続図
５３  電気的接続情報
５４  物理的グルーピング情報
５５  製造指示情報
【図１】
2012113411.tif 000003
【図２】
2012113411.tif 000004
【図３】
2012113411.tif 000005
【図４】
2012113411.tif 000006
【図５】
2012113411.tif 000007
【図６】
2012113411.tif 000008
【図７】
2012113411.tif 000009
【図８】
2012113411.tif 000010
【図９】
2012113411.tif 000011
【図１０】
2012113411.tif 000012
【図１１】
2012113411.tif 000013
【図１２】
2012113411.tif 000014
【図１３】
2012113411.tif 000015
【図１４】
2012113411.tif 000016
【図１５】
2012113411.tif 000017